(57)【特許請求の範囲】
【請求項１】
母線に接続される断路器およびこの断路器の母線側充電部に接続される接地開閉器を備えた絶縁開閉装置において、接地開閉器は、上記断路器の母線側充電部で形成される固定コンタクトと、上記固定コンタクトと対向して配設される接地ブッシング内に埋設されるとともに中心部に上記固定コンタクトと離反する方向に延びる摺動穴が穿設された接地導体と、一端側の先端に上記接地導体の摺動穴と嵌合して摺動する球状の摺動接触部を有し、他端側の先端に上記摺動接触部が上記摺動穴との嵌合を維持した状態で上記固定コンタクトと接触可能な球状の接触部を有する可動コンタクトと、上記可動コンタクトに接続され、回動することにより上記可動コンタクトの球状の接触部を上記固定コンタクトに接離させるレバーとを備えたことを特徴とするガス絶縁開閉装置。
【発明の詳細な説明】
【０００１】
【産業上の利用分野】
この発明は、ガス絶縁開閉装置に係り、特に遮断器の保守、点検のために設置される接地開閉器の構造に関するものである。
【０００２】
【従来の技術】
ガス絶縁開閉装置に適用される遮断器は、充電部が全て絶縁ガス中に密閉されているため、遮断器の両端に接地開閉器を接続して、例えば、接触抵抗の測定、絶縁抵抗の測定および遮断器の動作試験等を実施している。したがって、接地開閉器はできるだけ遮断器に接近して配置することが望ましい。
【０００３】
図４はこの種従来のガス絶縁開閉装置の遮断器周辺の構成を示す側面図である。
図において、１は遮断器取付ベース、２は操作機構３によって操作される遮断器で、両端に配設される充電部２ａ、２ａが遮断器２の長手方向と垂直な方向に設けられた絶縁支持筒４により、それぞれ遮断器取付ベース１に絶縁支持されている。５は遮断器２の両充電部２ａ、２ａに接続された一対の接地開閉器で、遮断器取付ベース１に絶縁されて固定された固定部５ａと、両充電部２ａ、２ａにそれぞれ電気的に接続され、駆動レバー５ｂの操作により固定部５ａと接離可能な可動部５ｃとで構成されている。
【０００４】
そして、上記のように構成されたガス絶縁開閉装置においては、図示はしないが遮断器２の両端に接続された断路器を開放して、遮断器２を電源側および負荷側から隔離した後、各接地開閉器５を投入して、所望の測定、試験や保守、点検が行われる。
【０００５】
【発明が解決しようとする課題】
従来のガス絶縁開閉装置の遮断器周辺は以上のように構成され、各接地開閉器５が遮断器２と長手方向に直列に接続されているため、長手方向の寸法が、遮断器２単体の寸法Ａと、両接地開閉器５の寸法Ｂを合計した（Ａ＋２Ｂ）分だけ必要となり、装置全体の高さが大きくなり、大形化するという問題点があった。
【０００６】
この発明は上記のような問題点を解消するために成されたもので、小形化が可能なガス絶縁開閉装置を提供することを目的とするものである。
【０００７】
【課題を解決するための手段】
この発明の請求項１に係るガス絶縁開閉装置は、母線に接続される断路器およびこの断路器の母線側充電部に接続される接地開閉器を備えた絶縁開閉装置において、接地開閉器は、上記断路器の母線側充電部で形成される固定コンタクトと、上記固定コンタクトと対向して配設される接地ブッシング内に埋設されるとともに中心部に上記固定コンタクトと離反する方向に延びる摺動穴が穿設された接地導体と、一端側の先端に上記接地導体の摺動穴と嵌合して摺動する球状の摺動接触部を有し、他端側の先端に上記摺動接触部が上記摺動穴との嵌合を維持した状態で上記固定コンタクトと接触可能な球状の接触部を有する可動コンタクトと、上記可動コンタクトに接続され、回動することにより上記可動コンタクトの球状の接触部を上記固定コンタクトに接離させるレバーとを備えたものである。
【０００８】
【作用】
この発明の請求項１におけるガス絶縁開閉装置の接地開閉器の可動コンタクトは、一端摺動接触部が接地導体の摺動穴との嵌合を維持した状態で、他端接触部で固定コンタクトと接触する。
【０００９】
【実施例】
実施例１．
図１はこの発明の実施例１におけるガス絶縁開閉装置の遮断器周辺の構成を示す側面図、図２は図１における接地開閉器の構成を詳細に示す断面図である。
図において、遮断器取付ベース１、遮断器２、充電部２ａ、２ｂ、操作機構３および絶縁支持筒４は図４に示す従来装置のものと同様である。
【００１０】
６は遮断器２の軸心と直角方向で且つ外方に両端充電部２ａ、２ａと対向して配設される一対の接地開閉器で、両端充電部２ａ、２ａの一部で形成される固定コンタクト６ａと、遮断器取付ベース１の外面に立設される支持枠６ｂと、この支持枠６ｂに取り付けられ固定コンタクト６ａと対向して配設される接地ブッシング６ｃと、この接地ブッシング６ｃ内に埋設され中心部に摺動穴６ｄ１が穿設された接地導体６ｄと、一端に摺動穴６ｄ１と嵌合して摺動する球状の摺動接触部６ｅ１が、又、他端には固定コンタクト６ａと接触可能な球状の接触部６ｅ２がそれぞれ形成された可動コンタクト６ｅと、三相一括連結絶縁軸７で回転駆動され、回動することにより可動コンタクト６ｅを移動させるレバー６ｆとで構成されている。
【００１１】
そして、可動コンタクト６ｅは、他端接触部６ｅ２が固定コンタクト６ａに接触した状態でも、一端摺動接触部６ｅ１は摺動穴６ｄ１との嵌合を維持した状態を保ち得るような寸法関係に設定されている。又、支持枠６ｂおよび接地ブッシング６ｃで形成される接地開閉器収納スペース（図中Ａで示す）は外気と封止され、遮断器２と同様の絶縁ガス雰囲気が形成されている。
【００１２】
次に上記のように構成される実施例１におけるガス絶縁開閉装置の動作について説明する。
まず、図２において、三相一括連結絶縁軸７を時計方向に回転駆動させると、レバー６ｆが回動して可動コンタクト６ｅは図中一点鎖線で示すように移動し、他端接触部６ｅ２が固定コンタクト６ａに接触し「投入」状態となる。そして、固定コンタクト６ａと可動コンタクト６ｅとは、三相一括連結絶縁軸７および接地ブッシング６ｅにより装置の容器とは完全に絶縁された状態で投入されているので、接地開閉器としての機能を十分に満足している。
【００１３】
このように上記実施例１によれば、接地開閉器６を遮断器２の長手方向と垂直な方向に設けられ遮断器２の両端充電部２ａ、２ａを支持する絶縁支持筒４内にそれぞれ収納するようにしているので、図１に示すように、長手方向の寸法が遮断器２単体の寸法Ａだけですますことができるため、装置全体の高さが低くなって小形化が可能となり、コスト的にも安価となる。
【００１４】
又、可動コンタクト６ｅの両端の摺動接触部６ｅ１、接触部６ｅ２を球状にするとともに、摺動接触部６ｅ１を接地導体６ｄの摺動穴６ｄ１内を摺動させて接触状態を保つようにしているので、別に可動コンタクトガイドを用意する必要がなく、接触部の寸法調整をする必要もないので、組立作業が容易となる。
【００１５】
実施例２．
尚、上記実施例１では、接地開閉器６を遮断器２の両端に接続した場合について説明したが、図３に示すように、接地開閉器６を遮断器２と母線（図示せず）との間に接続される断路器８の充電部に適用し、断路器８の充電部の一部を固定コンタクトとし母線接地として使用しても良く、上記実施例１と同様に、別に可動コンタクトガイドを用意する必要がなく、接触部の寸法調整をする必要もないので、組立作業が容易となる。
【００１６】
【発明の効果】
この発明の請求項１によれば、母線に接続される断路器およびこの断路器の母線側充電部に接続される接地開閉器を備えた絶縁開閉装置において、接地開閉器は、上記断路器の母線側充電部で形成される固定コンタクトと、上記固定コンタクトと対向して配設される接地ブッシング内に埋設されるとともに中心部に上記固定コンタクトと離反する方向に延びる摺動穴が穿設された接地導体と、一端側の先端に上記接地導体の摺動穴と嵌合して摺動する球状の摺動接触部を有し、他端側の先端に上記摺動接触部が上記摺動穴との嵌合を維持した状態で上記固定コンタクトと接触可能な球状の接触部を有する可動コンタクトと、上記可動コンタクトに接続され、回動することにより上記可動コンタクトの球状の接触部を上記固定コンタクトに接離させるレバーとを備えたものであるので、小形化は勿論のこと、組立作業の容易なガス絶縁開閉装置を提供することができる。
【図面の簡単な説明】
【図１】  この発明の実施例１におけるガス絶縁開閉装置の遮断器周辺の構成を示す側面図である。
【図２】  図１における接地開閉器の構成を詳細に示す断面図である。
【図３】  この発明の実施例２におけるガス絶縁開閉装置の接地開閉器の構成を詳細に示す断面図である。
【図４】  従来のガス絶縁開閉装置の遮断器周辺の構成を示す側面図である。
【符号の説明】
１  遮断器取付ベース、２  遮断器、２ａ  充電部、３  操作機構、
４  絶縁支持筒、６  接地開閉器、６ａ  固定コンタクト、６ｂ  支持枠、
６ｃ  接地ブッシング、６ｄ  接地導体、６ｄ１  摺動穴、
６ｅ  可動コンタクト、６ｅ１  摺動接触部、６ｅ２  接触部、６ｆ  レバー。
【図１】
0003816794.tif 000002
【図２】
0003816794.tif 000003
【図３】
0003816794.tif 000004
【図４】
0003816794.tif 000005